(57)【要約】【課題】被装着部材での照明光の反射を防止し、高品質の画像を得る。【解決手段】カメラ装置１０は、カメラレンズ１４ａの周囲に複数のＬＥＤ３ｂが配置されており、被装着部材であるフレーム１００ａにカメラ装置１０を装着するための平坦面１１ａが筐体１１の側面に設けられている。前方から見て、平坦面１１ａとカメラレンズ１４ａとの間には、ＬＥＤ１３ｂが配置されない第１の領域が設けられている。【選択図】図６
2018060139.tif 000002
【特許請求の範囲】
【請求項１】
カメラレンズの周囲に複数のＬＥＤを配置するカメラ装置であって、
前記カメラ装置の側面に、被装着部材に対して前記カメラ装置を装着するための装着部が設けられ、
前記装着部と前記カメラレンズとの間に、前記ＬＥＤが配置されない第１の領域が設けられている、カメラ装置。
【請求項２】
前記装着部は平坦面である、請求項１に記載のカメラ装置。
【請求項３】
前記第１の領域は、前記カメラ装置の前方から見て、前記カメラレンズの中心と前記装着部の端部とを結ぶ仮想線と、前記装着部とで囲まれる領域に略等しい、請求項１または２に記載のカメラ装置。
【請求項４】
前記第１の領域を除き、前記複数のＬＥＤが前記カメラレンズの周囲に均等に配置されている、請求項１ないし３のいずれか１項に記載のカメラ装置。
【発明の詳細な説明】
【技術分野】
【０００１】
本発明は、アクションカメラ等の小型カメラ装置に関する。
【背景技術】
【０００２】
従来、カメラレンズの周囲に複数のＬＥＤが均等に配置された小型カメラ装置が知られている（例えば、特許文献１、２参照）。
【０００３】
このように、カメラレンズの周囲に均等にＬＥＤを配置することで、撮影対象に対して、均一に光を照射できるため、暗い場所での撮影であっても、全体に均一な照度の画像を得ることができる。
【先行技術文献】
【特許文献】
【０００４】
【特許文献１】特開２００２−１０２１５９号公報
【特許文献２】特開２００５−５８９０４号公報
【発明の概要】
【発明が解決しようとする課題】
【０００５】
しかし、特許文献１、２に開示された小型カメラ装置を、眼鏡等の被装着部材に装着した場合には、小型カメラ装置と被装着部材とが隣接する。その状態でＬＥＤを照射すると、被装着部材で光が反射して、被装着部材に近い側の画像において照度が高まってしまうという問題があった。
【０００６】
本発明はかかる点に鑑みてなされたものであり、その目的は、被装着部材での照明用ＬＥＤ光の反射の影響を抑制し、高品質の画像が得られるカメラ装置を提供することにある。
【課題を解決するための手段】
【０００７】
上記の目的を達成するため、この発明では、カメラレンズの周囲に複数の照明用ＬＥＤを均等に配置するカメラ装置の側面に被装着部材に対する装着部を設け、装着部とカメラレンズとの間にＬＥＤを配置しない領域を設けるようにした。
【０００８】
具体的には、本発明のカメラ装置は、カメラレンズの周囲に複数のＬＥＤを配置するカメラ装置であって、カメラ装置の側面に、被装着部材に対してカメラ装置を装着するための装着部が設けられ、装着部とカメラレンズとの間に、ＬＥＤが配置されない第１の領域が設けられていることを特徴とする。
【０００９】
この構成によれば、被装着部材とカメラレンズとの間にＬＥＤが配置されないため、カメラレンズ近傍の被装着部材での光の反射を抑制でき、被装着部材に近い側の画像において照度の高まりに起因する画像の悪化を防止できる。
【００１０】
装着部は平坦面であるのが好ましい。
【００１１】
この構成によれば、平坦面に被装着部材を装着でき、カメラ装置の位置が安定する。
【００１２】
第１の領域は、カメラ装置の前方から見て、カメラレンズの中心と装着部の端部とを結ぶ線と、装着部とで囲まれる領域に略等しい、のが好ましい。
【００１３】
この構成によれば、カメラレンズ近傍の被装着部材での光の反射を確実に抑制できる。
【００１４】
第１の領域を除き、複数のＬＥＤがカメラレンズの周囲に均等に配置されているのが好ましい。
【００１５】
この構成によれば、撮影対象に対して、均一に光を照射できるため、暗い場所での撮影であっても、全体に均一な照度の画像を得ることができる。
【発明の効果】
【００１６】
以上説明したように、本発明によると、カメラレンズ近傍に配置されたＬＥＤからの光が被装着部材で反射されるのを抑制でき、高品質の画像が得られる。
【図面の簡単な説明】
【００１７】
【図１】本発明の実施の形態に係る、カメラ装置を含む画像記録装置の概略図である。
【図２】本発明の実施の形態に係る、カメラ装置の分解斜視図である。
【図３】図２におけるＩＩＩ−ＩＩＩ線での断面図である。
【図４】図３におけるＩＶ−ＩＶ線での断面図である。
【図５】図３におけるＶ−Ｖ線での断面図である。
【図６】本発明の実施の形態に係るカメラ装置を前方から見たときの平面図である。
【図７】被装着部材でのＬＥＤ出射光の反射の影響を説明する模式図である。
【発明を実施するための形態】
【００１８】
以下、本実施形態を図面に基づいて詳細に説明する。以下の好ましい実施形態の説明は、本質的に例示に過ぎない。
【００１９】
なお、本説明において、特に断らない限り、「前」、「後」は、カメラ装置のレンズ部が配置された側と、その反対側をいい、「下」とは、カメラ装置の筐体の平坦面が設けられた側をいい、「上」とは、その反対側をいう。
【００２０】
図１は、本実施の形態に係る、カメラ装置を含む画像記録装置の概略図であり、図２は、本実施の形態に係る、カメラ装置の分解斜視図である。
【００２１】
図３は、図２におけるＩＩＩ−ＩＩＩ線での断面図であり、図４は、図３におけるＩＶ−ＩＶ線での断面図であり、図５は、図３におけるＶ−Ｖ線での断面図である。
【００２２】
図６は、本実施の形態に係るカメラ装置を前方から見たときの平面図である。
【００２３】
（画像記録装置の概要）
図1に示すように、画像記録装置１は、カメラ装置１０と、これに接続されたケーブル３０と、ケーブル３０に接続された信号処理装置４０と、を有している。
【００２４】
本実施の形態において、カメラ装置１０は、アクション動作等を行う観察者が着用する眼鏡１００の鉄系材料でできたフレーム１００ａに装着された小型カメラ装置である。また、図２、図３に示す、円筒状の筐体１１の外周面の一部に設けられた平坦面１１ａと、フレーム１００ａの表面と、が接するように、カメラ装置１０がフレーム１００ａに装着されている。
【００２５】
眼鏡１００のフレーム１００ａに取り付けられたカメラ装置１０により取得された画像は、ケーブル３０を経由して、信号処理装置４０に送られる。
【００２６】
送られた画像は、信号処理装置４０により処理が行われ、記録部（図示せず）に記録される。
【００２７】
また、画像処理部４１で処理された画像は、信号処理装置４０に接続された画像表示部５０で見ることが可能である。
【００２８】
例えば、観察中のリアルタイムの画像を、離れた場所にいる別の人が、画像表示部５０により見ることができる。また、記録部４５に記録された画像を、時間をおいて観察者が画像表示部５０で確認することも可能である。複数の画像表示部５０を用いて、観察者と、離れた場所にいる別の人との間で画像を同時に見ることもできる。
【００２９】
（カメラ装置の構造）
図２、図３に示すように、カメラ装置１０は、周方向に平坦面１１ａおよび円弧面１１ｃを有し、略円筒形状である筐体１１と、筐体１１の前面に設けられたカバー部１２と、撮影対象に光を当てるための照明部１３と、カメラレンズ１４ａ（図６参照）を含むレンズ部１４と、撮像素子（図示せず）を有する撮像部１５と、を有している。
【００３０】
カバー部１２は、カバーガラス１２ａと、Ｏリング１２ｂと、を有している。
【００３１】
Ｏリング１２ｂは、カバーガラス１２ａと、ジョイント２４とで、前後を封止された筐体１１の内部の気密を保つために設けられている。
【００３２】
また、筐体１１の内部には、基板１７と、基板１７を保持するための基板ホルダ１９と、が配置されている。基板１７には、ケーブル３０と電気的に接続するためのコネクタ１８と、信号増幅用ＩＣ２１、２３と、重力センサ２２と、その他の電子部品（図示せず）と、が設けられている。
【００３３】
ケーブル３０は、照明部１３や撮像部１５や重力センサ２２に電力を送るための電源線（図示せず）と、撮像部１５を駆動制御するための第１信号線（図示せず）と、撮像部１５からの画像信号や重力センサ２２からの信号を受け取るための第２信号線（図示せず）と、それ以外の制御信号をやり取りするための第３信号線（図示せず）を有しており、図示しないフレキシブル配線等の配線を介して、ケーブル３０の各線と、基板１７に設けられたコネクタ１８とが電気的に接続されている。
【００３４】
基板１７上のプリント配線（図示せず）を介して、基板１７に設けられた信号増幅ＩＣ２１や重力センサ２２に電力が送られ、また、信号処理装置４０との信号のやり取りが行われる。また、基板１７に接続されたフレキシブル配線１６を介して、照明部１３や撮像部１５に電力が送られ、また、信号処理装置４０との信号のやり取りが行われる。
【００３５】
信号増幅ＩＣ（信号増幅部）２１は、上記の電源線、第１信号線及び第２信号線でやり取りされる信号を増幅するために設けられている。このＩＣを設けることにより、ケーブル３０を延長する場合にも、照明部１３や撮像部１５や重力センサ２２に対して、十分な強度の信号を供給することができる。
【００３６】
第１信号線でやり取りされる信号としては、例えば、Ｉ２Ｃ通信規格に準拠する信号が挙げられ、第２信号線でやり取りされる信号としては、例えば、ＭＩＰＩ（登録商標）規格に準拠する信号が挙げられる。
【００３７】
信号増幅ＩＣ２３は、上記の第３信号線でやり取りされる信号を増幅するために設けられている。
【００３８】
重力センサ２２は、例えば、カメラ装置１０が装着された人の頭部の動きに対応して、重力方向を検出する。
【００３９】
重力センサ２２としては、加速度センサやジャイロセンサ等の回転角速度センサ、あるいはこれらを併用したセンサ等を用いることができる。
【００４０】
基板ホルダ１９の下面側に磁石２０が設けられており、この磁力によって、鉄系材料からなるフレーム１００ａの側面と、筐体１１の平坦面１１ａとが接した状態で、カメラ装置１０がフレーム１００に固定されている。
【００４１】
また、基板ホルダ１９の上面には、基板１７の下面に設けられた部品、例えば、コンデンサ２３等の形状に応じて、凹部が設けられている。
【００４２】
また、図３から図５に示すように、基板ホルダ１９は、磁石２０が装着され、かつ、基板１７が載置された状態で筐体１１内部に挿入されており、基板１７に設けられた切り欠き部１７ａに、基板ホルダ１９に設けられたボス１９ａが嵌め込まれ、基板１７と基板ホルダ１９との位置決めが行われる。
【００４３】
なお、信号増幅ＩＣ２１、２３及び重力センサ２２は、基板１７の上面に配置されていてもよいし、下面に配置されていてもよい。すべての部品が基板１７の同じ面に配置されていてもよく、特に配置については限定されない。
【００４４】
（ＬＥＤと被装着部材との配置関係）
図６に示すように、眼鏡１００のフレーム１００ａの表面に、カメラ装置１０が装着されている。フレーム１００ａの側面と、カメラ装置１０の装着部である平坦面１１ａとが接しており、平坦面１１ａ近傍を除いて、照明部１３の枠体１３ａにＬＥＤ１３ｂが配置されている。
【００４５】
ＬＥＤ１３ｂは、撮影対象を照明し、良好な画像を取得するために設けられており、上述したように、ケーブル３０及びフレキシブル配線１６を介して、ＬＥＤ１３ｂに電力が供給される。
【００４６】
ＬＥＤ１３ｂは、枠体１３ａの内周方向に７つ配置されており、個々の間隔は略一定である。つまり、接触面近傍を除いて、ＬＥＤ１３ｂは、均等に配置されている。
【００４７】
枠体１３ａの中央部は開口しており、その後方にカメラレンズ１４ａが配置されている。
【００４８】
ここで、被装着部材であるフレーム表面でＬＥＤ光が反射したときの影響について説明する。
【００４９】
図７は、被装着部材でのＬＥＤ出射光の反射の影響を説明する模式図である。
【００５０】
平坦面１１ａから離れた位置にあるＬＥＤ１３ｂ（以下、ＬＥＤ１という）から出射された光は、ＬＥＤ１の放射角の範囲で、連続的な照度分布をもって照射面に到達する。
【００５１】
しかし、平坦面１１ａ近傍の位置するＬＥＤ１３ｂ（以下、ＬＥＤ２という）から出射された光は、一部がそのまま照射面に到達するが、一部はフレーム１００ａ表面で反射され、向きを変えて照射面に到達する。
【００５２】
その結果、照射面上では、反射光の影響を受けて、一部の領域で照度が不連続に高まってしまう。
【００５３】
筐体１１に装着される全てのＬＥＤ１３ｂからの出射光を合成した場合も、反射光の影響で、部分的に照度が高まってしまい、撮影画像にハレーション等を起こしたりする。
【００５４】
そこで、本実施の形態に示すように、カメラ装置１０の装着部である平坦面１１ａ近傍を除いてＬＥＤ１３ｂを配置することで、フレーム１００ａ表面で反射光が発生するのを抑制できる。
【００５５】
特に、図６に示す、カメラレンズ１４ａの中心と平坦面１１ａの端部とを結ぶ仮想線である破線と、平坦面１１ａとで囲まれる三角形の領域Ａに、ＬＥＤ１３ｂが配置されないようにすると、フレーム１００ａ表面での反射光の発生を確実に抑制できる。
【００５６】
なお、図示しないが、フレーム１００ａに対するカメラ装置１０の装着部が、平坦面１１ａではなく曲面であるときは、カメラ装置１０の前方から見て、カメラレンズ１４ａの中心と曲面の端部とを結ぶ仮想線と、曲面とで囲まれる領域が、上記の領域Ａに対応する。
【００５７】
また、ＬＥＤ１３ｂが配置されない領域は、領域Ａに略等しくてもよい。例えば、反射光の影響が実用上影響を与えない範囲で、ＬＥＤ１３ｂの一部分が領域Ａにあってもよい。
【００５８】
以上、説明したように、本実施の形態によれば、カメラ装置１０の装着部とフレーム１００ａとの接触面近傍にＬＥＤ１３ｂを配置しない構成であるため、ＬＥＤ１３ｂからの光が、フレーム１００ａの表面で反射して、カメラレンズ１４ａに入射する量を大幅に低減できる。
【００５９】
従って、被装着部材であるフレーム１００ａに近い側の画像において、照度の高まりに起因する画像の悪化を防止でき、高品質の画像を得ることができる。
【００６０】
また、カメラ装置１０の円筒状の筐体１１に平坦面１１ａが設けられているため、カメラ装置１０が転がるのを防止する治具等を別途、準備することなく、カメラ装置の検査、例えば、重力方向の検査も容易に行うことができる。
【００６１】
また、フレーム１００ａの装着面に対して、カメラ装置１０の装着部である平坦面１１ａが接するようにすることで、機器や器具への装着も容易となるとともに、カメラ装置１０の位置が安定する。
【００６２】
また、接触面近傍を除いて、ＬＥＤ１３ｂが均等に配置されていることにより、撮影対象に対して、均一に光を照射できるため、暗い場所での撮影であっても、全体に均一な照度の画像を得ることができる。
【００６３】
なお、本実施の形態では、ＬＥＤ１３ｂが７個配置された例について説明したが、特にこれに限定されず、用途やカメラ装置の大きさ等によってＬＥＤの個数は適宜変更可能である。
【００６４】
なお、本実施の形態において、カメラ装置を眼鏡に装着して、観察対象物の画像を記録する例について述べたが、適用される範囲はこれに限定されない。例えば、配管内検査等に適用することも可能である。
【００６５】
カメラ装置１０が装着される部材も眼鏡１００に特に限定されない。用途に応じて種々の部材に対して、本実施の形態のカメラ装置１０を装着できる。
【００６６】
また、筐体１１は略円筒形状に特に限定されず、多角柱形状であってもよい。
【００６７】
また、被装着部材との装着部は平坦面であるのが好ましいが、曲面や凹凸面などであってもよい。
【００６８】
また、眼鏡１００のフレーム１００ａにカメラ装置１０を装着するにあたって、カメラ装置の寸法は、直径が５ｍｍから１．５ｃｍ程度、長さが１ｃｍから５ｃｍ程度であるのが好ましいが、特にこれに限定されるものでなく、装着される部材や用途等によって適宜変更可能である。
【産業上の利用可能性】
【００６９】
本発明のカメラ装置は、装着される部材との近傍で、照明用のＬＥＤからの光が反射し、カメラレンズに入射するのを抑制できるため、眼鏡等に装着可能なカメラ装置として、きわめて有用である。
【符号の説明】
【００７０】
１０    カメラ装置
１１    筐体
１１ａ  平坦面
１３    照明部
１３ａ  枠体
１３ｂ  ＬＥＤ
１４ａ  カメラレンズ
１５    撮像部
【図１】
2018060139.tif 000003
【図２】
2018060139.tif 000004
【図３】
2018060139.tif 000005
【図４】
2018060139.tif 000006
【図５】
2018060139.tif 000007
【図６】
2018060139.tif 000008
【図７】
2018060139.tif 000009